(57)【要約】【課題】  部品点数削減及び組立性向上を図ることで、低コスト、高信頼性のある電子制御装置を提供する。【解決手段】  本発明の電子制御装置は、電子部品を搭載した回路基板を収容するためのケースとカバーに係わり、カバーの組み付けは片側をケースの穴にカバーのフックを引っ掛けて固定し、もう片側をねじにて固定することにより達成される。【選択図】  図１
2015176939.tif 000002
【特許請求の範囲】
【請求項１】
電子部品およびコネクタ等が実装されているプリント配線基板を搭載した電子制御装置であって、前記プリント配線基板を収容するケースと、前記プリント配線基板を保護するためのカバーを前記ケースに固定する構造において、片側を前記ケースの穴に、前記カバーに取り付けられたフック部を挿入することにより固定され、もう片側はねじにより固定されることを特徴とする電子制御装置
【請求項２】
前記カバーを前記ケースに固定する構造において、片側を前記ケースの穴に、前記カバーに取り付けられたフック部は、前記カバーを回転させながら挿入することにより固定されることを特徴とする請求項1記載の電子制御装置
【請求項３】
前記カバーに取り付けられたフック部の脇には、緩み防止のため梁が一ヶ所以上ついていることを特徴とする請求項１または２のいずれかに記載の電子制御装置
【請求項４】
前記カバーのフック側とは反対側に仮固定用のスナップフィットが取付けられていることを特徴とする請求項１ないし３のいずれかに記載の電子制御装置
【請求項５】
電波の送受信をする電波送受信器が搭載されている場合は、前記カバーの端面を開放し、電波透過性の良い樹脂性のキャップを配置し、前記ケース及び前記カバーをねじにて固定されることを特徴とする請求項１ないし４のいずれかに記載の電子制御装置
【請求項６】
前記ケースは、前記プリント配線基板を収容部と、車両への取付け部の二種類の機能を有していることを特徴とする請求項１ないし５のいずれかに記載の電子制御装置
【請求項７】
前記ケースは、強度が異なる材質、または、二種類の板厚で組み合わせて構成されていることを特徴とする請求項１から６のいずれかに記載の電子制御装置
【発明の詳細な説明】
【技術分野】
【０００１】
本発明は、乗用車等の車両に装備される電子制御装置に係り、特にプリント配線基板を保護するためのケースとカバーの取り付けに必要な構造を具備した車載電子制御装置に関する。
【背景技術】
【０００２】
一般に自動車等に装備される電子制御装置は金属製あるいは樹脂製のケースに電子部品およびコネクタ等が配置されたプリント配線基板の四隅をねじにて固定されている。  また、カバーはプリント配線基板と共締めまたは、接着剤等で固定されている。
【０００３】
本発明は、前記技術を小型化、コスト低減を図るべく、部品点数の削減および、組立性の改善を図った。
【先行技術文献】
【特許文献】
【０００４】
【特許文献１】特開2007-131255号公報
【発明の概要】
【発明が解決しようとする課題】
【０００５】
本発明は、部品点数を削減、軽量化および、組立性の向上を図り低コストで高信頼性の電子制御装置を提供することを課題としている。
【課題を解決するための手段】
【０００６】
上記課題を達成するため、本発明の電子制御装置は、金属製のケースと、電子部品とコネクタ等が配置されたプリント配線基板と、前記プリント配線基板を前記ケースに固定するねじと、前記プリント配線基板を保護する金属製のカバーからなっており、前記カバーの固定方法として、前記プリント配線基板は金属製の前記ケースにねじにて固定され、前記ケースの片側には穴があいており、前記カバーの片側についているフックを前期カバーを回転させながら引っ掛けられるようにし、  もう片側はねじにて固定することにより達成される。
【０００７】
また、本発明の電子制御装置は、前記カバーのフック部の緩み防止としてフック部が緩まないように梁をつけている。
【０００８】
また、本発明の電子制御装置は、前記カバーには組立時に前期梁の反発により開いてしまわないように反対側に仮止め用のスナップフィットを設けている。
【０００９】
また、本発明の電子制御装置には、前記プリント配線基板に電波を送受信する場合は、ねじ止め側に樹脂製のキャップを配置し、前記ねじにて固定される。
【００１０】
また、前記ケースは前記プリント配線基板を収容部と、車両への取付け部の二種類の機能を達成させるために、二種類の強度が異なる材質、または、二種類の板厚で組み合わせて構成されることにより軽量化が図れる。
【００１１】
以上のより、課題である部品点数削減、軽量化、組立性の向上ができ、低コストで高信頼性の電子制御装置を提供することができる。
【発明の効果】
【００１２】
本発明の電子制御装置では、前記ケースへの前記カバーの固定を片側だけ簡単に取り付けられるフックとし、フックが外れないよう梁の反発を利用している。
【００１３】
また、反対側はねじ止めとすることで部品点数削減と作業時間の短縮が可能となった。
また、前記ケースは前記プリント配線基板を収容部と、車両への取付け部の二種類の機能を達成させるために、二種類の強度が異なる材質、または、二種類の板厚で組み合わせて構成されることにより軽量化が図れる。
【００１４】
更に、カバーを反転して取り付けることができないため誤組防止を図ることができる。
本発明は、以上のような顕著な効果を奏する。
【図面の簡単な説明】
【００１５】
【図１】カバーの取り付けを備える電子制御装置の正面図、断面図、拡大図
【図２】カバー取付け工程図
【図３】樹脂キャップを付けた場合の電子制御装置の斜視図
【図４】樹脂キャップを付けた場合の電子制御装置の平面図、側面図
【図５】樹脂キャップを付けた場合の電子制御装置のＢ-Ｂ断面図
【図６】樹脂キャップを付けた場合の電子制御装置のＣ-Ｃ断面図
【発明を実施するための形態】
【００１６】
以下に、本発明の実施例について図により説明する。なお、本発明は、以下の実施例に限定されるものではなく、特許請求の範囲に記載された要旨の範囲内において適宜変更しえるものである。
【００１７】
まず、図１は本実施例の電子制御装置の全体構成を概略的に示す正面図、断面図及び部分拡大図である。この図１に示すように、電子制御機器は、ケース1に電子部品等を実装されているプリント配線基板２と、そのプリント配線基板２に設けられた電子部品９及びコネクタ４と、プリント配線基板２を固定するねじＡ３と、プリント配線基板２を収容するためのカバー４と、カバー４を固定するためのねじＢ６から構成されている。
前記カバー４取付けは、断面Ａ-Ａ及び拡大図Ｅのように、片側がケース１に設けられた穴Ａ１ａに引っ掛けるようにカバー４に設けられた爪部４ａを配置し、この爪部４ａがケース１より外れないようにカバー４に設けられた梁部４ｂを配置している。  もう片側はねじ６により固定される。これにより、ねじ６の本数を減らせることができ、組立時間の短縮が図れる。
【００１８】
また、前記ケースは前記プリント配線基板を収容部と、車両への取付け部の二種類の機能を達成させるために、二種類の強度が異なる材質、または、二種類の板厚で組み合わせて構成されることにより軽量化が図れる。
【００１９】
図２は、カバーの組付け方法を示した図である。
【００２０】
ケース１にプリント配線基板２をねじ３にて取り付けた後に、カバーを立てた状態でベース１に設けられた穴Ａ１ｂとカバー４に設けられた爪部４ａが合うように配置し、図中のＲのように回転させながら爪部４ａを挿入する。  ここで、カバー４に設けられた梁部４ｂにより反力が発生するので爪部４ａが外れにくくなり、規定の位置までカバー４を倒しねじ６により固定される。
【００２１】
図３は爪部４ａと反対側に樹脂カバー７を搭載した斜視図である。
【００２２】
たとえば、電波等の送受信を行う場合、金属部品で覆われてしまうと送受信できなくなってしまうことから、カバー４のねじ止め側を開口させ、電波を送受信できる樹脂カバー７を配置することにより可能となる。
【００２３】
樹脂カバー７を取り付けるとなると、カバー４の爪部４ａ及び梁部４ｂにより反力がかかるため、スナップフィット４ｃで仮止めしねじＣ8にて固定するようにすることで簡単に組立ができるようになる。
【００２４】
また、車両取付け時には側面４ヶ所に車両取付け用ねじ穴１１が設けられている。  この車両取付け用ねじ穴１１は３箇所であればよく、４ヶ所にこだわる必要は無い。
【００２５】
図４は図3の正面図と側面図である。
【００２６】
図５は図４の正面図の断面Ｂ-Ｂ図である。
【００２７】
前記ケース1に電子部品等を実装されているプリント配線基板２と、そのプリント配線基板２に設けられた電波送受信器１０と電子部品９及びコネクタ４と、プリント配線基板２を固定するねじＡ３と、プリント配線基板２を収容するためのカバー４と、電波を送受信できる樹脂カバー７と前記ケース1とを固定するためのねじＣ８から構成されている。
前記カバー４及び樹脂カバー７の取付けは、片側がケース１に設けられた穴Ａ１ａに引っ掛けるようにカバー４に設けられた爪部４ａを配置し、この爪部４ａがケース１より外れないようにカバー４に設けられた梁部４ｂを配置している。  もう片側は、カバー４の爪部４ａ及び梁部４ｂにより反力がかかるため、ケース１の穴Ｂ1ｂにスナップフィット４ｃで仮止めし樹脂カバー７を取り付け、ねじＣ8により固定される。  
図６は図４の側面図の断面Ｃ-Ｃ図である。
【００２８】
図はケース１の穴１ｂにカバー４のスナップフィット４ｃが勘合された状態をしめしており、カバー４の梁４ｂの反力を押えられることで、樹脂カバー７のねじＣ８による固定を容易にしている。
【００２９】
以上のように、本実施例により備品点数を減らし、組立時間を低減できることから安価な電子制御機器を提供できる。
【符号の説明】
【００３０】
１．  ケース
１ａ．穴Ａ
１ｂ．穴Ｂ
２．  プリント配線基板
３．  ねじA
４．  カバー
４ａ．爪
４ｂ．梁
４ｃ．スナップフィット
５．コネクタ，
６．ねじＢ
７．樹脂カバー
８．ねじＣ
９．電子部品
１０．電波送受信器
１１．車両取付け用ねじ穴
【図１】
2015176939.tif 000003
【図２】
2015176939.tif 000004
【図３】
2015176939.tif 000005
【図４】
2015176939.tif 000006
【図５】
2015176939.tif 000007
【図６】
2015176939.tif 000008